(57)【特許請求の範囲】
【請求項１】
一方の面に装飾部が形成された平板状の装飾部材と、
第一位置と第二位置との間を往復動作する演出部材と、
を備えた遊技機であって、
前記装飾部材は、
前記装飾部が遊技領域の平面方向に対し略直交するようにして、前記第一位置に位置する前記演出部材の端部から後方に向かうように固定されており、
前記演出部材が前記第二位置に位置するときには、当該演出部材に覆われることを特徴とする遊技機。
【発明の詳細な説明】
【技術分野】
【０００１】
本発明は、装飾部材を備える遊技機に関する。
【背景技術】
【０００２】
遊技機には、外観を華やかにしたり、演出効果を発現したりする様々な装飾部材が設けられる（例えば下記特許文献１等参照）。
【先行技術文献】
【特許文献】
【０００３】
【特許文献１】特開２０１４−１８４２２６号公報
【発明の概要】
【発明が解決しようとする課題】
【０００４】
多くの装飾部材は、遊技者側、すなわち前方に装飾部が設けられる。しかし、遊技者は真正面以外の方向から遊技機を見るときもあるため、真正面以外の方向から遊技機を見たときの美的外観等（意匠性）も遊技機にとって重要である。
【０００５】
本発明が解決しようとする課題は、従来よりも遊技機の意匠性を向上させることにある。
【課題を解決するための手段】
【０００６】
上記課題を解決するためになされた請求項１の発明にかかる遊技機は、一方の面に装飾部が形成された平板状の装飾部材と、第一位置と第二位置との間を往復動作する演出部材と、を備えた遊技機であって、前記装飾部材は、前記装飾部が遊技領域の平面方向に対し略直交するようにして、前記第一位置に位置する前記演出部材の端部から後方に向かうように固定されており、前記演出部材が前記第二位置に位置するときには、当該演出部材に覆われることを特徴とする。
【発明の効果】
【００１１】
請求項１に記載の発明では、装飾部が遊技領域の平面方向に対し略直交するようにして装飾部材が固定される。そのため、遊技者が真正面以外の方向から遊技機を見たときの意匠性を向上させることが可能である。また、遊技者が真正面以外の方向から遊技機を見たとき、当該装飾部材によって遊技機内部が見えないようにすることも可能である。
【００１３】
また、装飾部材が、第一位置に位置する演出部材の端部から後方に向かうように設けられていれば、演出部材が第一位置に位置するときに、装飾部材が演出部材と一体的な三次元的形態を構築する構成とすることが可能である。
【００１４】
また、演出部材が第二位置に位置するときに、当該演出部材に装飾部材が覆われるように設定されていれば、演出部材が第二位置に位置するときには、（演出部材が第一位置に位置するときとは異なり）演出部材単独で演出効果を発現する構成とすることが可能である。
【図面の簡単な説明】
【００１６】
【図１】本発明の一実施形態にかかる遊技機の正面図であり、第一演出部材および第二演出部材が演出位置に位置した状態を示したものである（発射装置（発射ハンドル）等公知の部材は省略）。
【図２】センターベースおよびそれに固定されたベース部材に支持された第一演出部材および第二演出部材の外観斜視図であり、両演出部材が演出位置に位置した状態を示したものである。
【図３】ベース部材それに支持された第一演出部材および第二演出部材を前方から見た外観斜視図であり、両演出部材が待機位置に位置した状態を示したものである。
【図４】ベース部材それに支持された第一演出部材および第二演出部材を後方から見た外観斜視図であり、両演出部材が待機位置に位置した状態を示したものである。
【図５】ベース部材それに支持された第一演出部材および第二演出部材を後方から見た外観斜視図であり、両演出部材が演出位置に位置した状態を示したものである。
【図６】前方（真正面）から見たときにおける装飾部材と原位置に位置する第二演出部材の位置関係を説明するための図および一部を模式的に拡大して示した図である。
【発明を実施するための形態】
【００１７】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００１８】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１９】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００２０】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２１】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、スロットマシン等、他の種類の遊技機であってもよい。
【００２２】
本実施形態にかかる遊技機１は、装飾部材１０、第一演出部材２０、および第二演出部材４０を備える。以下、図２〜図６を参照してこれら各部材を説明する。図２に示すように、各部材は、遊技盤９０の後方に設けられるセンターベース２に固定されたベース部材５０に支持される。
【００２３】
装飾部材１０は、一方の面に装飾部１１が形成された平板状の部材である。装飾部１１の装飾態様はどのようなものであってもよい。本実施形態における装飾部材１０は、装飾部１１が上方を向くようにして動かないように固定されている。具体的には、装飾部材１０は、遊技機１本体側に固定されたベース部材５０に対し、装飾部１１（装飾面）が上下方向に直交するようにして固定されている。
【００２４】
第一演出部材２０は、所定の範囲を移動可能に設けられたいわゆる駆動役物である。本実施形態では、移動範囲が面Ｆに関し左右対称である左第一演出部材と右第一演出部材が設けられている。以下の説明で特に明示した部分を除き、左第一演出部材およびその駆動機構と右第一演出部材およびその駆動機構の基本的な構成は同じである（面Ｆに関し左右対称である）ため、一方の第一演出部材２０に関する構成のみを説明する。
【００２５】
第一演出部材２０およびそれを駆動させる駆動機構３０は、ベース部材５０の後方に設けられている。第一演出部材２０は、前面に装飾が施されている。第一演出部材２０は、その装飾が施された部分が遊技盤に覆われた原位置と、遊技盤９０の開口９０１を通じて視認可能となる演出位置との間を往復動作することが可能である。ベース部材５０には誘導溝５１が設けられており、当該誘導溝５１内には第一演出部材２０に設けられた被誘導突起２１が係合している。被誘導突起２１は誘導溝５１内をスライドすることが可能である。
【００２６】
第一演出部材２０を駆動させるための駆動機構３０は、駆動源３１、動力伝達列３２、アーム部３３を備える。駆動源３１の動力は、動力伝達列３２を介して第一演出部材２０に伝達される。本実施形態における動力伝達列３２は、歯車や軸状の部材から構成されるが、その構成はどのようなものであってもよいため説明を省略する。
【００２７】
アーム部３３は、動作する第一演出部材２０の支えとなる部分である。本実施形態におけるアーム部３３は第一演出部材２０と一体的に成形されているが、アーム部３３と第一演出部材２０が別に成形され、両者が一体化された構成としてもよい。アーム部３３の先端（第一演出部材２０側とは反対側の端部）はベース部材５０に対して回動自在に支持されている。具体的には、ベース部材５０の上端縁における幅方向略中央には、後方に向かって突出した土台部５２が形成されており、当該土台部５２の後面にアーム部３３の先端が回動自在に支持されている。当該アーム部３３とベース部の接続部３３１は、移動する第一演出部材２０の支点となる。つまり、駆動源３１の動力が動力伝達列３２を介して第一演出部材２０に伝達されると、当該第一演出部材２０は、アーム部３３とベース部の接続部３３１を支点として、誘導溝５１に嵌まり込んだ被誘導突起２１が当該溝に案内されることによって回動する。このようにして、第一演出部材２０は原位置と演出位置との間を往復動作する。
【００２８】
一方の演出部材２０（左第一演出部材）と一体的に設けられるアーム部３３と他方の演出部材２０（右第一演出部材）と一体的に設けられるアーム部３３は交差している。一方のアーム部３３が前方向に窪んだ部分を有し、当該窪んだ部分を他方のアーム部３３が交差する。ベース部材５０の土台部５２には両アーム部３３が接続されている。
【００２９】
かかるベース部材５０の土台部５２の上面に装飾部材１０が固定されている。装飾部材１０は、土台部５２の後面よりも後方に突出する部分を有する。具体的には、当該突出した部分が、アーム部３３の一部を覆う（図３〜図５等参照）。なお、ここでいう「覆う」とは、装飾部材１０（装飾部１１）の平面方向に直交する方向（本実施形態では上下方向）において、装飾部材１０とアーム部３３の一部が重なるということである。ベース部材５０に対して接続された部分（接続部３３１）を含むアーム部３３の先端側の一部は、上方からは装飾部材１０に覆われて見えない状態となる。遊技者はベース部材５０よりも手前側に着座しているため、遊技者が装飾部材１０の上方から覗き込むようにしてもアーム部３３は見えない。換言すれば、装飾部材１０が存在しなかったと仮定した場合には、当該アーム部３３の一部が上から見えてしまうということである。
【００３０】
第二演出部材４０は、所定の範囲を移動可能に設けられたいわゆる駆動役物である。第二演出部材４０およびそれを駆動させる駆動機構は、ベース部材５０の前方に設けられている。第二演出部材４０は、前面に装飾が施されている。本実施形態における第二演出部材４０は、その装飾部１１が遊技盤に覆われた原位置（本発明における第一位置に相当する）と、遊技盤９０の開口９０１を通じて視認可能となる演出位置（本発明における第二位置に相当する）との間を平面方向に沿って上下方向に往復（スライド）動作することが可能である。このように第一演出部材２０を動作させることができるものであれば、その駆動機構はどのようなものであってもよいため、説明を省略する。
【００３１】
装飾部材１０は、原位置に位置する第二演出部材４０の上端部から後方に向かうように設けられる（図３、図４、図６等参照）。したがって、遊技者は、第二演出部材４０が原位置に位置するとき、第二演出部材４０と装飾部材１０が一体であるかのような印象を受ける。一方、第二演出部材４０が演出位置に移動した際には、装飾部材１０は第二演出部材４０に覆われ（装飾部材１０の前方に第二演出部材４０が位置し）、少なくとも真正面からは装飾部材１０が見えなくなる（図２、図５等参照）。
【００３２】
また、装飾部材１０を前方から見たときの外縁の少なくとも一部は、原位置に位置する第二演出部材４０の外縁の少なくとも一部に沿う形状となっている（図６の拡大部分参照）。つまり、装飾部材１０の前側面の下縁の少なくとも一部（１１１で示した部分）は、原位置に位置する第二演出部材４０の上縁の少なくとも一部（４０１で示した部分）に沿う形状となっている。本実施形態における第二演出部材４０は、ハート型形状を有するものである。装飾部材１０の前側面の下縁は、当該「ハート」の谷間に沿うような形状を有する。したがって、第二演出部材４０が原位置に位置するときにおける、第二演出部材４０と装飾部材１０が一体であるかのような印象が強くなる。
【００３３】
以上説明したように、本実施形態にかかる遊技機１では、装飾部１１が遊技領域の平面方向に対し略直交するようにして装飾部材１０が固定されている。本実施形態では、装飾部１１が上方を向くように設定されているため、遊技者が真正面より上方から遊技機１を見たときの意匠性を向上させることが可能である。
【００３４】
装飾部１１の方向は、平面方向に対し略直交する方向、すなわち装飾部１１が前後方向に沿う方向であれば適宜変更可能である。このような装飾部材１０を設けることにより、遊技者が真正面以外の方向から遊技機１を見たときの意匠性を向上させることが可能である。このような装飾部材１０は複数設けられていてもよい。
【００３５】
また、第一演出部材２０の駆動機構３０の少なくとも一部（本実施形態ではアーム部３３の一部）は、装飾部材１０に覆われている。つまり、装飾部材１０を、意匠性を向上させる部材としてだけでなく、第一演出部材２０の駆動機構３０の少なくとも一部を覆い隠す部材として機能させることも可能である。換言すれば、装飾部材１０が平面方向に直交する方向に設けられるからこそ、従来（平面方向にそって設けられる装飾部材１０）であれば覆うことができなかった部分を覆うことができるということである。なお、駆動機構３０の構成は適宜変更可能である。駆動機構３０は、第一演出部材２０を移動させるためのものであって、演出効果を発現しない部分（装飾等が設けられておらず、遊技者から見えないよう隠すべき部分）であればどのようなものであってもよい。このように規定される駆動機構３０を構成する部材、部分であれば、装飾部材１０に覆われる「駆動機構３０の少なくとも一部」はどのような部材、部分であってもよい。
【００３６】
また、装飾部材１０が、原位置に位置する第二演出部材４０の端部から後方に向かうように設けられているため、第二演出部材４０が原位置に位置するときに、装飾部材１０が第二演出部材４０と一体的な三次元的形態を構築する構成とすることが可能である。
【００３７】
一方、第二演出部材４０が演出位置に位置するときには、当該第二演出部材４０に装飾部材１０が覆われるため、第二演出部材４０が演出位置に位置するときには、（第二演出部材４０が原位置に位置するときとは異なり）第二演出部材４０単独で演出効果を発現する構成とすることが可能である。
【００３８】
また、装飾部材１０を前方から見たときの外縁の少なくとも一部１１１が、原位置に位置する第二演出部材４０の外縁の少なくとも一部４０１に沿う形状（本実施形態では「ハート」の谷間に沿う形状）となっているため、第二演出部材４０が原位置に位置するときに、当該第二演出部材４０と装飾部材１０によって構築される形態の一体感を高めることが可能である。
【００３９】
以上、本発明の実施の形態について詳細に説明したが、本発明は上記実施の形態に何ら限定されるものではなく、本発明の要旨を逸脱しない範囲で種々の改変が可能である。
【符号の説明】
【００４０】
１  遊技機
１０  装飾部材
１１  装飾部
２０  第一演出部材
３０  駆動機構
３１  駆動源
３２  動力伝達列
３３  アーム部
４０  第二演出部材
５０  ベース部材
【図１】
0005938593.tif 000002
【図２】
0005938593.tif 000003
【図３】
0005938593.tif 000004
【図４】
0005938593.tif 000005
【図５】
0005938593.tif 000006
【図６】
0005938593.tif 000007